(57)【要約】【課題】作業性を向上させた成端箱を提供する。【解決手段】成端箱Ａは、屋内からの光ファイバケーブル１０３が着脱自在に接続される光アダプタ２と、屋内からの電話ケーブル１０１が接続される端子台３３と、少なくとも光アダプタ２及び端子台３３が収納されるケース１とを備える。ケース１の上面には、屋外からの光ファイバケーブル１０２と電話ケーブル１００とを引き込むための挿入溝１１ａ，１１ｂが設けられている。またケース１の下面には、光アダプタ２の接続部位を外部に露出させる矩形状の開口溝１１ｃが設けられ、さらにケース１の前面には、端子台３３の接続部位を外部に露出させる矩形状の開口部１２ｂが設けられている。したがって、光ファイバケーブル１０３及び電話ケーブル１０１を接続する際には、そのまま光アダプタ２及び端子台３３に接続すればよく、作業性の向上が図れる。【選択図】図１
2013024923.tif 000002
【特許請求の範囲】
【請求項１】
屋内からの光ファイバケーブルが着脱自在に接続される光アダプタと、屋内からの電話ケーブルが接続される端子台と、少なくとも前記光アダプタ及び前記端子台が収納されるケースとを備え、前記ケースには、屋外からの光ファイバケーブルと電話ケーブルとを引き込むためのケーブル引込部が設けられており、前記光アダプタ及び前記端子台は、それぞれ屋内からのケーブルが接続される接続部位が外部に露出するようにして前記ケースに収納されていることを特徴とする成端箱。
【請求項２】
屋外からの電話ケーブルに加えられる張力を低減する第１の張力低減手段、又は、屋内からの電話ケーブルに加えられる張力を低減する第２の張力低減手段のうち少なくとも何れか一方を備えていることを特徴とする請求項１記載の成端箱。
【請求項３】
天井裏に設けられた吊ボルトに前記ケースを固定するための固定部材を備えていることを特徴とする請求項１又は２記載の成端箱。
【請求項４】
前記吊ボルトに固定するための結束バンドを挿通させるノックアウト孔が前記ケースに設けられていることを特徴とする請求項３記載の成端箱。
【請求項５】
前記端子台を開閉自在に覆うカバーを備えていることを特徴とする請求項１〜４の何れか１項に記載の成端箱。
【請求項６】
屋外からの光ファイバケーブルの余長をループ状に巻き取る余長収納部を備え、前記余長収納部に巻き取られた前記光ファイバケーブルにより囲まれるスペースに前記端子台が配置されていることを特徴とする請求項１〜５の何れか１項に記載の成端箱。
【発明の詳細な説明】
【技術分野】
【０００１】
本発明は、成端箱に関するものである。
【背景技術】
【０００２】
従来より、光ファイバケーブル同士を接続するレセプタクルを備えた配線装置が提供されている（例えば特許文献１参照）。この配線装置は、一面が開口する矩形箱状のボディと、ボディの開口を閉塞するようにしてボディに着脱自在に取り付けられるカバーとで構成されたハウジングを備える。このハウジングには、屋外から引き込まれた光ファイバケーブルと屋内からの光ファイバケーブルとを光学的に接続するレセプタクルが、接続部位を外部に露出させた状態で収納されている。したがって、作業者が光ファイバケーブルをレセプタクルに接続する際には、そのまま光ファイバケーブルを接続するだけでよい。また上記ハウジングには、屋外から引き込まれた電話ケーブルが電気的に接続された端子台が収納されており、この端子台には屋内からの電話ケーブルが接続される。
【先行技術文献】
【特許文献】
【０００３】
【特許文献１】特開２０１０−１６９７６３号公報（段落［００１９］−段落［００４５］、及び、第１図−第７図）
【発明の概要】
【発明が解決しようとする課題】
【０００４】
上述の特許文献１に示した配線装置によれば、カバーをボディに取り付けた状態では上記端子台が外部に露出していないため、作業者が電話ケーブルを上記端子台に接続する際にはカバーを取り外さなければならず、作業性がよくなかった。
【０００５】
本発明は上記問題点に鑑みて為されたものであり、その目的とするところは、作業性を向上させた成端箱を提供することにある。
【課題を解決するための手段】
【０００６】
本発明の成端箱は、屋内からの光ファイバケーブルが着脱自在に接続される光アダプタと、屋内からの電話ケーブルが接続される端子台と、少なくとも前記光アダプタ及び前記端子台が収納されるケースとを備える。ケースには、屋外からの光ファイバケーブルと電話ケーブルとを引き込むためのケーブル引込部が設けられている。光アダプタ及び端子台は、それぞれ屋内からのケーブルが接続される接続部位が外部に露出するようにしてケースに収納されている。
【０００７】
この成端箱において、屋外からの電話ケーブルに加えられる張力を低減する第１の張力低減手段、又は、屋内からの電話ケーブルに加えられる張力を低減する第２の張力低減手段のうち少なくとも何れか一方を備えているのが好ましい。
【０００８】
また、この成端箱において、天井裏に設けられた吊ボルトにケースを固定するための固定部材を備えているのも好ましい。
【０００９】
さらに、この成端箱において、吊ボルトに固定するための結束バンドを挿通させるノックアウト孔がケースに設けられているのも好ましい。
【００１０】
また、この成端箱において、端子台を開閉自在に覆うカバーを備えているのも好ましい。
【００１１】
さらに、この成端箱において、屋外からの光ファイバケーブルの余長をループ状に巻き取る余長収納部を備え、余長収納部に巻き取られた光ファイバケーブルにより囲まれるスペースに端子台が配置されているのも好ましい。
【発明の効果】
【００１２】
作業性を向上させた成端箱を提供することができるという効果がある。
【図面の簡単な説明】
【００１３】
【図１】本実施形態の成端箱の一例を示し、（ａ）は前方から見た斜視図、（ｂ）は上方から見た平面図、（ｃ）は下方から見た平面図である。
【図２】同上を後方から見た斜視図である。
【図３】同上から上ケースを取り外した状態の斜視図である。
【図４】同上を構成する端子ブロックのブロック本体の正面図である。
【図５】同上の他の例を示す斜視図である。
【図６】同上のさらに他の例を示す斜視図である。
【図７】同上のさらにまた他の例を示す模式図である。
【発明を実施するための形態】
【００１４】
以下に、成端箱の実施形態を図１〜図７に基づいて説明する。本実施形態の成端箱Ａは、例えば天井裏に設けられた吊ボルト（図示せず）に取り付けられ、屋外から引き込まれた光ファイバケーブル１０２と屋内からの光ファイバケーブル１０３とを光学的に接続するために用いられる。またこの成端箱Ａは、屋外から引き込まれた電話ケーブル１００と屋内からの電話ケーブル１０１とを電気的に接続する機能も有している。なお、以下の説明では特に断りがない限り、図１（ｃ）における上下方向を前後方向とし、図１（ｃ）における左右方向を左右方向とし、図１（ｃ）の紙面に垂直な方向における奥側を上側、手前側を下側と規定して説明を行う。
【００１５】
図１（ａ）は本実施形態の成端箱Ａの一例を示す斜視図であり、この成端箱Ａは、上ケース１２と下ケース１１とで矩形箱状に形成されたケース１を備える。
【００１６】
下ケース１１は、絶縁性を有する樹脂材料からなる樹脂成形品であって、前面及び左右両側面が開口する扁平な箱体からなる（図３参照）。下ケース１１の上面には、図１（ｂ）に示すように屋外からの光ファイバケーブル１０２が挿入される挿入溝１１ｂと、屋外からの電話ケーブル１００が挿入される挿入溝１１ａとが左右方向に並べて設けられている。これらの挿入溝１１ａ，１１ｂには、ゴムブッシュ４，５が取り付けられるようになっており、これらのゴムブッシュ４，５によって挿入溝１１ａ，１１ｂからケース１内に塵や埃が入り込むのを防止している。ここに本実施形態では、挿入溝１１ａ，１１ｂによりケーブル引込部が構成されている。
【００１７】
また下ケース１１の下面には、図１（ｃ）に示すように光アダプタ２の屋内側の接続部位を外部に露出させる矩形状の開口溝１１ｃが設けられており、この開口溝１１ｃの端縁には、光アダプタ２を保持する保持立片１１ｄが左右両側に設けられている（図３参照）。さらに各保持立片１１ｄの上部には、各保持立片１１ｄとともに光アダプタ２を保持する保持立片１１ｅがそれぞれ設けられている。
【００１８】
また下ケース１１の底面において挿入溝１１ａの近傍には、図３に示すように略Ｌ字状に立設されたケーブル保持片１１ｆが設けられている。さらに下ケース１１の底面の略中央には、前方に突出する円柱状の突起１１ｇが設けられており、この突起１１ｇには上方に延設された舌片１１ｈが一体に設けられている。また下ケース１１の裏面には、図２に示すように天井裏に設けられた吊ボルト（図示せず）にケース１を取り付けるための固定部材６が取り付けられるようになっており、さらに固定部材６の取付部位の上下両側には一対のノックアウト孔１１ｊ，１１ｊがそれぞれ設けられている。
【００１９】
上ケース１２は、絶縁性を有する樹脂材料からなる樹脂成形品であって、後面及び上下両側面が開口する扁平な箱体からなる。上ケース１２の前面には、厚みを薄くすることで形成された凹所１２ａが設けられており、凹所１２ａの底面には後述の端子台３３の接続部位を外部に露出させる矩形状の開口部１２ｂが設けられている。また凹所１２ａの底面には、略Ｌ字状に立設された複数（図１（ａ）では３個）のケーブル保持片１２ｃ〜１２ｅが上下方向に並べて設けられている。なお、両端のケーブル保持片１２ｃ，１２ｅはその開口側が右側となるように形成され、残りのケーブル保持片１２ｄはその開口側が左側となるように形成されている。ここに本実施形態では、ケーブル保持片１１ｆにより第１の張力低減手段が構成され、ケーブル保持片１２ｃ〜１２ｅにより第２の張力低減手段が構成されている。
【００２０】
また本実施形態の成端箱Ａは、光ファイバケーブル１０２，１０３を光学的に接続する光アダプタ２と、電話ケーブル１００，１０１を電気的に接続する端子ブロック３とを備えており、光アダプタ２及び端子ブロック３はともにケース１に収納されている。
【００２１】
光アダプタ２は、樹脂成形品からなる矩形箱状のアダプタ本体２１を有し、アダプタ本体２１の下面には、光ファイバケーブル１０３のプラグ１０３Ａが差込接続される接続口２１ａが左右方向に並べて２個設けられている（図１（ａ）参照）。また各接続口２１ａには、それぞれ従来周知のシャッター２２が開閉自在に設けられており、光ファイバケーブル１０３を接続していない状態ではシャッター２２により接続口２１ａが閉塞した状態にある。さらにアダプタ本体２１の上面には、光ファイバケーブル１０２のプラグ１０２Ａが差込接続される接続口（図示せず）が左右方向に並べて２個設けられている。この光アダプタ２は、両光ファイバケーブル１０２，１０３それぞれに設けられたフェルール（図示せず）をずれることなく付き合わせる機能を有している。
【００２２】
端子ブロック３は、図３及び図４に示すように樹脂材料により矩形板状に形成されたブロック本体３１を有する。ブロック本体３１の上部には、屋外からの電話ケーブル１００が接続される一次側の端子台３２を保持するＵ字状の端子台保持部３１ａが前方に立設されている。また端子台保持部３１ａの下側には、挿入溝１１ｂを通して下ケース１１内に引き込まれた光ファイバケーブル１０２の余長を収納する余長収納部３４が設けられている。この余長収納部３４は、所定の間隔を空けてループ状に形成された複数の円弧状の立設片３１ｃと、各立設片３１ｃよりも外側に形成され且つ立設片３１ｃと同様に所定の間隔を空けてループ状に形成された複数の円弧状の立設片３１ｄとで構成される。そして、光ファイバケーブル１０２の余長は立設片３１ｃと立設片３１ｄの間のスペースに巻き取られ、その後先端部のプラグ１０２Ａを光アダプタ２に接続することで一次側の接続作業が完了する。なお、組付手順については後述する。
【００２３】
余長収納部３４に巻き取られた光ファイバケーブル１０２により囲まれるスペース（立設片３１ｃの内側のスペース）には、屋内からの電話ケーブル１０１が接続される二次側の端子台３３を保持するＵ字状の端子台保持部３１ｂが前方に立設されている。ここに、ブロック本体３１において各端子台保持部３１ａ，３１ｂに対応する部位にはそれぞれ開口部３１ｆ，３１ｇが設けられており、これらの開口部３１ｆ，３１ｇを通して後方から端子台３２，３３を挿入することで、端子台３２，３３がそれぞれ対応する端子台保持部３１ａ，３１ｂに保持される。なお端子台３２，３３はそれぞれ１枚の基板（図示せず）に実装されており、この基板に形成された導電パターンによって電気的に接続されている。またブロック本体３１の略中央には長孔３１ｅが設けられており、この長孔３１ｅの開口端縁に下ケース１１の舌片１１ｈを係止させることで端子ブロック３が下ケース１１に取り付けられる。なお、上記の端子台３２，３３は何れも速結端子構造を備えたものであり、電話ケーブル１００，１０１の各芯線を対応する端子台３２，３３に差し込むだけで接続することができる。
【００２４】
固定部材６は、図２に示すように矩形板状に形成された取付部６１を有し、取付部６１の上下両側には一対の保持片６２，６３がそれぞれ設けられている。ここにおいて、一方の保持片６２は他方の保持片６３よりも長さ寸法が長くなっており、これらの保持片６２，６３の間の隙間ｂに吊ボルト（図示せず）が入り込むようにしてケース１が吊ボルトに取り付けられる。なおこの固定部材６は、適宜の取付手段により下ケース１１に取り付けられる。
【００２５】
次に、光アダプタ２及び端子ブロック３を下ケース１１に組み付ける手順について説明する。なお、端子台３２，３３が実装された基板については予めブロック本体３１に取り付けられているものとして説明する。作業者が、向かい合う各組の保持立片１１ｄ，１１ｅの間に光アダプタ２を配置し、前方から光アダプタ２を押し込むと、アダプタ本体２１が各組の保持立片１１ｄ，１１ｅの間で保持され、光アダプタ２が下ケース１１に組み付けられる。また作業者が、端子ブロック３のブロック本体３１の長孔３１ｅに下ケース１１の突起１１ｇ及び舌片１１ｈを挿入し、ブロック本体３１を下側にスライドさせると、長孔３１ｅの開口端縁に舌片１１ｈが係止され、端子ブロック３が下ケース１１に組み付けられる。
【００２６】
続けて、屋外からの光ファイバケーブル１０２及び電話ケーブル１００を下ケース１１に組み付ける手順について説明する。作業者が、電話ケーブル１００の各芯線をそれぞれ対応する端子台３２の速結端子に接続した後、電話ケーブル１００を下ケース１１の底面とケーブル保持片１１ｆの間に差し込む。そして最後に、作業者が電話ケーブル１００に取り付けられたゴムブッシュ４を挿入溝１１ａに挿入すると、電話ケーブル１００が下ケース１１に組み付けられる。なおこの状態では、電話ケーブル１００がケーブル保持片１１ｆに保持されているため、電話ケーブル１００に加えられる張力を低減することができ、その結果、電話ケーブル１００と端子台３２の接続部分に張力が加わるのを抑えることができる。また作業者が、光ファイバケーブル１０２に取り付けられたゴムブッシュ５を挿入溝１１ｂに挿入した後、光ファイバケーブル１０２の余長を立設片３１ｃと立設片３１ｄの間のスペースに巻き取る。そして最後に、作業者が先端部のプラグ１０２Ａを光アダプタ２に接続すると、光ファイバケーブル１０２が下ケース１１に組み付けられる。
【００２７】
そして、作業者が下ケース１１の上面開口を閉塞するように上ケース１２を取り付けると、成端箱Ａの施工が完了する。
【００２８】
この成端箱Ａは上述の固定部材６により吊ボルトに取り付けられるが、その際、下ケース１１の底面に設けられたノックアウト孔１１ｊ，１１ｊに結束バンド（図示せず）を通し、結束バンドを用いて吊ボルトに固定してもよい。この場合、結束バンドを用いることで固定部材６とともに二重にケース１を固定することができ、しかも固定部材６を取り外す際の落下防止として結束バンドを機能させることもできる。
【００２９】
次に、屋内からの光ファイバケーブル１０３及び電話ケーブル１０１を接続する手順について説明する。上述のように、光アダプタ２の接続部位である接続口２１ａ，２１ａは開口溝１１ｃを通して外部に露出しており、作業者が各光ファイバケーブル１０３のプラグ１０３Ａを対応する接続口２１ａに差込接続するだけで光ファイバケーブル１０３を接続することができる。また同様に、二次側の端子台３３の接続部位は開口部１２ｂを通して外部に露出しており、作業者が電話ケーブル１０１の各芯線を対応する端子台３３の速結端子に接続するだけで電話ケーブル１０１を接続することができる。したがって、従来例のようにカバーを取り外さなくていいことから、作業性を向上させることができる。なおこの状態では、図１（ａ）に示すように各ケーブル保持片１２ｃ〜１２ｅと凹所１２ａの底面との間で電話ケーブル１０１を保持させており、電話ケーブル１０１に加えられる張力を低減できるので、電話ケーブル１０１と端子台３３の接続部分に張力が加わるのを抑えることができる。
【００３０】
上記の例では端子台３３が開口部１２ｂを通して外部に露出しているため、成端箱Ａを天井裏に設置した場合には塵や埃などが端子台３３に付着する可能性がある。したがって、図５に示すように端子台３３を覆うカバー７を設けるのが好ましい。
【００３１】
カバー７は、透明又は半透明の樹脂材料からなる樹脂成形品であって、後面及び上面が開口する扁平なカバー本体７１を有する。カバー本体７１の前面にはカバー７を取り外す際に指を引っ掛けるための引掛け溝７３が設けられ、またカバー本体７１の後面側には係止突起７２が設けられている。さらにカバー本体７１の下面には、電話ケーブル１０１を外部に導出するためのケーブル挿通孔７４が設けられている。一方、上ケース１２において係止突起７２に対応する部位には、係止突起７２と係合する係止孔１２ｆが設けられている。
【００３２】
このカバー７は、ケース１に対して上下方向にスライドさせることで着脱され、作業者がケース１に対してカバー７を下側から上側にスライドさせると、係止突起７２が係止孔１２ｆに係止され、カバー７がケース１に取り付けられる。また、作業者が引掛け溝７３に指を引掛けた状態でカバー７を下側に引くと、係止突起７２と係止孔１２ｆの係止状態が解除され、さらにカバー７を下側に引くことでカバー７がケース１から取り外される。
【００３３】
また上記の例では、二次側の端子台３３を余長収納部３４に巻き取られた光ファイバケーブル１０２により囲まれるスペースに配置しているが、例えば図６に示すように余長収納部３４の外側（下側）に端子台３３を配置してもよい。さらに上記の例では、光アダプタ２が１つの場合を示したが、例えば図７に示すように光アダプタ２が２つであってもよく、また端子台３２，３３や光アダプタ２の配置についても、図７に示すように中央に端子台３２，３３を配置し、その左右両側に光アダプタ２を配置してもよい。
【００３４】
而して本実施形態によれば、屋内からの光ファイバケーブル１０３が接続される光アダプタ２の接続口２１ａ、及び、屋内からの電話ケーブル１０１が接続される端子台３３の接続部位がともに外部に露出している。したがって、作業者は光ファイバケーブル１０３及び電話ケーブル１０１を接続する際にはそれぞれ光アダプタ２及び端子台３３に接続するだけでよく、従来例に比べて作業性が向上するという利点がある。また本実施形態のように、端子台３３をカバー７で覆うことで塵や埃などが端子台３３に付着するのを防止することができる。さらに本実施形態のように、余長収納部３４に巻き取られた光ファイバケーブル１０２により囲まれるスペースに端子台３３を配置することで、端子台３３を配置するためのスペースを別に設けなくてもよく、ケース１の小型化が図れる。
【００３５】
なお本実施形態では、第１の張力低減手段（ケーブル保持片１１ｆ）及び第２の張力低減手段（ケーブル保持片１２ｃ〜１２ｅ）の両方を設けているが、少なくとも何れか一方が設けられていればよい。また本実施形態では、光ファイバケーブル１０２が挿入される挿入溝１１ｂと、電話ケーブル１００が挿入される挿入溝１１ａとが別々に設けられているが、１つの挿入溝であってもよい。さらに本実施形態では、ケース１に対してカバー７をスライドさせることでカバー７が取り付けられるようになっているが、ねじなどを用いることなく簡単に取り付けられるようになっていれば、他の取付方法でもよい。
【符号の説明】
【００３６】
１  ケース
２  光アダプタ
１１ａ，１１ｂ  挿入溝（ケーブル引込部）
１１ｃ  開口溝
１２ｂ  開口部
３３  端子台
１００，１０１  電話ケーブル
１０２，１０３  光ファイバケーブル
Ａ  成端箱
【図１】
2013024923.tif 000003
【図２】
2013024923.tif 000004
【図３】
2013024923.tif 000005
【図４】
2013024923.tif 000006
【図５】
2013024923.tif 000007
【図６】
2013024923.tif 000008
【図７】
2013024923.tif 000009